(57)【要約】【課題】部品点数を低減し、空調用ダクト１５の外壁面上に結露する結露水２６によって下方に位置する物が濡れるのを防止することにある。【解決手段】インストルメントパネル２１の内部に空調用ダクト１５が取り付けられており、空調用ダクト１５の外面に縦横のガイド溝が設られている。前記空調用ダクト１５の下方に樋１９を設けられている。結露水は、横方向のガイド溝で保持されて蒸発し、縦方向のガイド溝を介して樋１９に導かれ、その樋１９上で蒸発され、あるいは樋１９から所定の位置に排出される。【選択図】　　　図３
2004090705.tif 000002
【特許請求の範囲】
【請求項１】
インストルメントパネルの内部に設けられる空調用ダクトにおいて、その外面には結露水を所定の方向へ導くためのガイド溝が設けられていることを特徴とする自動車の空調用ダクト。
【請求項２】
請求項１に記載の自動車の空調用ダクトにおいて、ガイド溝が左右方向に延びていることを特徴とする自動車の空調用ダクト。
【請求項３】
請求項１または２に記載の自動車の空調用ダクトにおいて、ガイド溝が上下方向に延びていることを特徴とする自動車の空調用ダクト。
【請求項４】
請求項１〜３のいずれかに記載の自動車の空調用ダクトにおいて、結露水をダクト端部に導くための樋が設けられていることを特徴とする自動車の空調用ダクト。
【請求項５】
請求項１〜４のいずれかに記載の空調用ダクトにおいて、前記樋の端部には樋からの結露水を受ける水受けが設けられていることを特徴とする自動車の空調用ダクト。
【請求項６】
請求項１〜５のいずれかに記載の空調用ダクトを備えた自動車用インストルメントパネルにおいて、前記空調用ダクトをインストルメントパネルアッパの内側に配置するとともに、インストルメントパネルアッパの少なくとも前記空調用ダクトと対応する部分には発泡層が設けられていることを特徴とする自動車のインストルメントパネル。
【発明の詳細な説明】
【０００１】
【発明の属する技術分野】
本発明は、自動車の空調用ダクト及びインストルメントパネルに関する。
【０００２】
【従来の技術】
この種の空調用ダクトとして、例えば、実開平４−４９５０７号公報に開示される空調用ダクトは、空調用ダクト本体の下部にグラブボックスの上方を覆うカバーが一体的に取り付けられ、このカバーはリインフォースメントに固定されている。そして、カバーは前記ダクト本体の外面に生じる結露水を集めて前記ダクト本体の端部に導くように構成され、結露水によりグラブボックス内の収納物がを濡れるのを防止する構成とすることができる。
【０００３】
実開平４−４９５０８号公報に開示される空調用ダクトは、ダクト本体の下部の結露水受けが断面略錨状に形成されている。また、結露水受けの両端はグラブボックスの両端よりそれぞれ突出して、結露水がグラブボックスを避けて結露水受けの両端から落下するようになっている。
【０００４】
また、特開平７−２５７１４９号公報に開示される空調用ダクトは、その空調用ダクトの外周に格子状の凸部を設けることにより、結露水が各格子内の位置で落下しないように保持される。従って、結露水を特定箇所に集中移動することがないように広範囲で保持することができ、結露水の滴下をある程度防止することができる。
【０００５】
【発明が解決しようとする課題】
しかしながら、前述した実開平４−４９５０７号公報の空調用ダクトは、グラブボックスの開口部を覆うためのカバー体をリインフォースメントに取り付けなければならないため、部品点数や工数が増加するという問題がある。
【０００６】
実開平４−４９５０８号公報の空調用ダクトは、前記ダクト下端に結露水受けが設けられているが、この結露水受けが前記ダクトの幅より小さく構成されているため、結露水が結露水受けに達する前に落下してグラブボックス内の収納物を濡らしてしまうおそれがある。
【０００７】
特開平７−２５７１４９号公報の空調用ダクトは、結露水の特定箇所への集中を防止できるが、結露水を所定の位置へ導く構成となっていないため、結露水が大量に凝集した場合、結露水が落下してグラブボックス内の収納物を濡らしたりしてしまう問題がある。
【０００８】
本発明は、このような従来技術に存在する問題点に着目してなされたものであって、結露水が所定位置以外の所へ流れるのを防止することができるとともに、そのための構成が簡単で、組付が容易な空調用ダクトを提供することにある。
【０００９】
【課題を解決するための手段】
上述した課題を解決するために、空調用ダクトに関する請求項１に記載の発明は、インストルメントパネルの内部に設けられる空調用ダクトにおいて、その外面には結露水を所定の方向へ導くためのガイド溝が設けられていることを特徴とするものである。
【００１０】
上記構成とすることにより、結露水をガイド溝に沿ってが所定の方向へ導くことができる。従って、結露水が都合の悪いところに落下したりするのを未然に防止できる。また、空調用ダクトの外面にガイド溝を形成しただけであるから、部品点数や工数が増えることはない。
【００１１】
請求項２に記載の発明は、請求項１において、ガイド溝が左右方向に延びていることを特徴とするものである。
上記構成とすることにより結露水を空調用ダクトの左右方向のほぼ全域で保持することができる。
【００１２】
請求項３に記載の発明は、請求項１または２において、ガイド溝が上下方向に延びていることを特徴とするものである。
上記構成とすることにより、結露水を下方へ円滑に導くことができる。
【００１３】
請求項４に記載の発明は、請求項１〜３のいずれかにおいて、結露水をダクト端部に導くための樋が設けられていることを特徴とするものである。
上記構成とすることにより、下方へ移動してきた結露水を前記樋で受けることができ、空調用ダクトの下方に位置する物が濡れるのを防止することができる。
【００１４】
請求項５に記載の発明は、請求項１〜４のいずれかにおいて、前記樋の端部には樋からの結露水を受ける水受けが設けられていることを特徴とするものである。
【００１５】
上記構成とすることによりからの結露水を水受けにより受けることができて、ガイド溝の下方に位置する物が濡れるのを防止することができるとともに、水受け上で結露水を蒸発させることができる。
【００１６】
請求項６に記載の空調用ダクトは、請求項１〜５のいずれかに記載の空調用ダクトを備えた自動車用インストルメントパネルにおいて、前記空調用ダクトをインストルメントパネルアッパの内側に配置するとともに、インストルメントパネルアッパの少なくとも前記空調用ダクトと対応する部分には発泡層が設けられていることを特徴とするものである。
【００１７】
上記構成とすることにより発泡層の断熱作用により、インストルメントパネル表面の結露を防止することができる。
【００１８】
【発明の実施の形態】
（第１の実施形態）
以下、本発明を具体化した空調用ダクトの第１の実施形態を図１〜図５にしたがって説明する。
【００１９】
インストルメントパネル２１のインストルメントパネルアッパ２１ａは、インパネ芯材２２、発泡材からなるクッション層２３、表皮２４から形成されている。前記インパネ芯材２２と空調用ダクト１５とがブロー成形にて一体成形され、空調用ダクト１５がインストルメントパネルアッパ２１ａの下部内側に配置されている。インストルメントパネルアッパ２１ａの助手席側の下方には、グラブボックス３０が設けられている。
【００２０】
図１及び図２に示すように、図示しないエアコンユニットから延びる空調用ダクト１１は、運転席側サイドベント１２用の空調用ダクト１３、助手席側サイドベント１４用の空調用ダクト、センターベント１６用の空調用ダクト（図示しない）から構成されている。この第１の実施形態では、助手席側サイドベント１４用の空調用ダクト１５について述べ、同様な構成の運転席側サイドベント１２用の空調用ダクト１３については説明を省略する。また、センターベント１６用の空調用ダクトは両サイドベント１２、１４用の空調用ダクト１３、１５とは構成が異なるため、ここでは本発明を適用しないが、適用することも可能である。
【００２１】
図３〜図５に示すように、助手席側サイドベント用１４の空調用ダクト１５の外面には、その長手方向、すなわち左右方向に延びるガイド溝１８がほぼ等間隔をおいて複数設けられている。また前記ガイド溝１８に対してほぼ直角に交差する上下方向にも、ガイド溝１７がほぼ等間隔をおいて複数設けられている。これらのガイド溝１７、１８は空調用ダクト１５がブロー成形される際に形成される。
【００２２】
空調用ダクト１５の下端には、同ダクト１５の長手方向、すなわち左右方向に延びる樋１９が一体形成されている。この樋１９は、ダクト１５の外面上に結露して流下する結露水２６を集めて、結露水２６をダクト１５本体の端部側に導く。この樋１９はその断面形状が略錨状に形成され、空調用ダクト１５の直径よりも大きな幅に形成され、空調用ダクト１５の全幅領域を下方からカバーしている。樋１９の両端はグラブボックス３０の両端よりそれぞれ外側に突出している。更に、前記樋１９は助手席側のドア側に僅かに下降傾斜している。
【００２３】
なお、図５に示す１５ａは、前記サイドベント１４に接続される空調用ダクト１５の開口を示す。
さて、車両のエアコンを作動させると、空調用ダクト１５内には冷気が通るため、空調用ダクト１５の外面上に結露が生じる。図５に示すように、この結露水２６は、凝集しながら下方に移動する。この場合、上下方向に延びるガイド溝１７に流れ落ちた結露水２６は、ただちにそのガイド溝１７に沿って樋１９に導かれる。また、左右方向に延びるガイド溝１８に流れ落ちた結露水２６は、そのガイド溝１８で滞留保持され、そこで蒸発されるが、その左右方向のガイド溝１８から上下方向のガイド溝１７に導かれることも多い。樋１９上に導かれた結露水２６はそこで蒸発したり、量が多い場合は樋１９の端部の下降端から所定位置に落下したりする。
【００２４】
以上のように、空調用ダクト１５に縦横のガイド溝１７、１８を設けることによって、結露水２６を保持して蒸発させたり、樋１９に円滑に案内したりすることができる。そして、その結露水２６を樋１９上で蒸発させたり、所定の位置に排出したりできる。よって、空調用ダクト１５下方に位置する物が結露水２６の滴下によって濡れるといった不都合を防止することができる。
【００２５】
上記実施形態の空調用ダクト１５によれば、以下のような効果を得ることができる。
（１）　上記実施形態では、空調用ダクト１５に付着した結露水２６はガイド溝１７、１８によって保持されて蒸発したり、所定の樋１９の位置に導かれたりし、その樋１９上で蒸発したり、所定の排水位置に排水されたりする。従って、結露水２６がグラブボックス３０等の都合の悪いところに落下するおそれを解消することができる。しかも、そのための構成は、空調用ダクト１５の外周面にガイド溝１７，１８を形成したり、樋１９を一体形成したりするのみであるから、部品点数や工数等が増えることはない。
【００２６】
（２）　また、エアコン作動により、車室内には乾燥した空気が流れ込んでいるため、空調用ダクト１５に付着した結露水２６は容易に蒸発気化される。従って、ほとんどの結露水２６は滴下する大きさに成長する前に気化され、蒸発されない結露水２６は所定位置に排出されるので、インストルメントパネル２１の内側の計器類や、ワイヤーハーネス等が濡れてしまうといった不都合を防止することができる。
【００２７】
（３）　空調用ダクト１５の下端部に設けられている樋１９は、空調用ダクト１５の直径の幅より大きく形成されて、空調用ダクト１５全体を下方からカバーしている。このため、空調用ダクト１５から落下する結露水２６を樋１９で確実に捕捉でき、ワイヤーハーネスやコンピュータといった機器類が濡れてしまうといった不都合を防止することができる。
【００２８】
（４）　空調用ダクト１５をインストルメントパネルアッパ２１ａの内側に配置するとともに、インストルメントパネルアッパ２１ａの全体には発泡層２３が設けられているため、インストルメントパネル２１表面の結露を防止することができる。
【００２９】
（第２の実施形態）
次に、本発明を具体化した空調用ダクト１５の第２の実施形態を図６にしたがって説明する。
【００３０】
この、第２の実施形態は、第１の実施形態の樋１９の端部の直下に受け皿２５を設け、他の部分は第１の実施形態と同様である。
従って、第２の実施形態の空調用ダクト１５の構成によれば、以下のような効果を得ることができる。
【００３１】
（５）　空調用ダクト１５の下端部に設けられている樋１９の端部の直下に受け皿２５を設けることによって、樋１９からの結露水２６を受け皿２５で受け止め、下方に位置する物が濡れるのを防止することができるとともに、この受け皿２５上で結露水２６を蒸発させることができる。
【００３２】
（変更例）
なお、この実施形態は、次のように変更して具体化することも可能である。
・　前記実施形態では空調用ダクト１５がブロー成形によりインストルメントパネル２１に一体形成されているが、射出成形により一体形成されたり、インストルメントパネル２１と別体の構成されたりしてもよい。
【００３３】
・　縦横のガイド溝１７，１８のうちの一方を省略すること。
・　樋１９を空調用ダクト１５と別体に構成すること。
・　断熱作用を有する発泡層２３を空調用ダクト１５と対応する部分のみに設けること。
【００３４】
【発明の効果】
以上詳述したように、本発明においては、結露水が所定位置以外の所へ流れるのを防止することができるとともに、そのための構成が簡単で、組付が容易であるという効果を発揮する。
【図面の簡単な説明】
【図１】本発明を具体化した第１実施形態の空調用ダクトを有するインストルメントパネルの斜視図。
【図２】図１インストルメントパネルの平面図。
【図３】図１のＡ−Ａ線断面図。
【図４】図３の空調用ダクトの拡大断面図。
【図５】空調用ダクトの部分拡大正面図。
【図６】第２実施形態の空調用ダクトを示す部分拡大正面図。
【符号の説明】
１１…空調用ダクト、１２…運転席側サイドベント、１３…運転席側空調用ダクト、１４…助手席側サイドベント、１５…助手席側空調用ダクト、１５ａ…空調用ダクトの開口、１６・・・センターベント、１７、１８…ガイド溝、１９…樋、２０…凸部、２１…インストルメントパネル、２１ａ…インストルメントパネルアッパ、２２…芯材、２３…クッション層、２４…表皮、２５…受け皿、２６…結露水、３０…グラブボックス
【図１】
2004090705.tif 000003
【図２】
2004090705.tif 000004
【図３】
2004090705.tif 000005
【図４】
2004090705.tif 000006
【図５】
2004090705.tif 000007
【図６】
2004090705.tif 000008